(57)【要約】【課題】  ずれやねじれが生じにくい回転式絵本を提供する。【解決手段】  正四角柱形状の第１、第２の本体部１、２と、回転式絵本用分割原画の一部分が一体化されて第１の本体部１に貼り付けられた第１のシート１０と、回転式絵本用分割原画の他の部分が一体化されて形成されて第１、第２の本体部１、２にＳ字状に交叉して巻き付けられている第２のシート１１とを備えている。【選択図】図１
2017165081.tif 000002
【特許請求の範囲】
【請求項１】
正四角形の各辺が所定の幅Ｗをもつ正四角柱形状の第１の本体部と、
正四角形の各辺が所定の幅Ｗをもつ正四角柱形状の第２の本体部と、
長さ方向Ｌの一部分が第１の本体部、第２の本体部の所定の幅Ｗに応じた幅で区画された複数の区画部を有し、該複数の区画部の各々が幅方向Ｄに上部、中部、下部を備え、該複数の区画部が長さ方向Ｌに互いに連結され一体化されて形成されている第１のシートと、
長さ方向Ｌの他の部分が第１の本体部、第２の本体部の所定の幅Ｗに応じた幅で区画された複数の区画部を有し、該複数の区画部が長さ方向Ｌに所定の形状に互いに連結され一体化されて形成されている第２のシートとを具備し、
前記第２のシートは、所定の形状として、幅方向Ｄに上部、中部、下部を備えた複数の区画部が長さ方向Ｌに互いに連結されている第１の連結部と、第１の連結部と長さ方向Ｌに順次に連結されており、上部、下部を備え、中部が切り取られた複数の区画部が長さ方向Ｌに互いに連結されている第２の連結部と、第２の連結部と長さ方向Ｌに順次に連結されており、上部、中部、下部を備えた１つの区画部からなる第３の連結部と、第３の連結部と長さ方向Ｌに順次に連結されており、中部のみを備えた複数の区画部が長さ方向Ｌに互いに連結されている第４の連結部とを有しており、
前記第１のシートは、前記第１の本体部の側面に巻き付けられて貼り付けられ、
前記第２のシートは、前記第１の連結部と前記第２の連結部の前記第１の連結部に隣接する区画部とが前記第２の本体部の側面に巻き付けられて貼り付けられ、前記第３の連結部が前記第１の本体部の側面に貼り付けられ、前記第１の本体部および／または第２の本体部を回転させながら前記第２の連結部の貼り付けられていない複数の区画部を前記第１の本体部および／または第２の本体部の側面にＳ字状に巻き上げ、前記第４の連結部を前記第２の連結部の貼り付けられていない区画部の切り取られた中部の穴にくぐらせ前記第２の連結部と交叉させて前記第２の本体部の側面にＳ字状に巻き付けて、端となる区画部を前記第２の本体部の側面に貼り付けてなり、
前記第１のシートの各区画部、および、前記第２のシートの各区画部の少なくとも一部には、回転式絵本用分割原画が印刷されていることを特徴とする回転式絵本。
【請求項２】
請求項１記載の回転式絵本において、前記第１の連結部の前記第２の連結部と隣接する  区画部以外の区画部は、除去される一方、前記第２の本体部または第１の本体部の側面  に印刷されることを特徴とする回転式絵本。
【請求項３】
請求項１または請求項２記載の回転式絵本において、前記第１のシートは除去される一  方、前記第１のシートの複数の区画部は、前記第１の本体部または第２の本体部の側面  に印刷されることを特徴とする回転式絵本。
【発明の詳細な説明】
【技術分野】
【０００１】  本発明は、一対の正四角柱を回転させることで正面に複数の画面が次々と現れる回転式絵本に関する。
【背景技術】
【０００２】  一対の正四角柱が角を常に接した状態で回転するものは、非特許文献１、非特許文献２に記載のように、牛乳パックを使った工作などで知られている。それらの遊具は、一対の正四角柱の上部、中部、下部のそれぞれに対応させて分割され切り離された複数の帯を、上部、中部、下部のそれぞれにＳ字状に交互に交叉させて巻きつけ、両端部をそれぞれ一対の正四角柱に貼り付け、出来あがった帯面に絵を描くことができるものである。
【先行技術文献】
【非特許文献】
【０００３】
【非特許文献１】  「牛乳パックのからくり絵本」共著  枝常弘、折原喜一郎、（株）いんなあとりっぷ社発行、平成３年４月１日発行、１６頁、１７頁、１８頁
【０００４】
【非特許文献２】  「おばけあそび」長島克夫作・絵、岩崎書店発行、１９９７年８月２０日発行、１０頁、１１頁、１２頁、１３頁
【発明の概要】
【発明が解決しようとする課題】
【０００５】  しかしながら、上述した従来の遊具では、一対の正四角柱の上部、中部、下部のそれぞれに対応させて分割され切り離された複数の帯を、上部、中部、下部のそれぞれに巻きつけているので、上部と中部の帯同士、中部と下部の帯同士のずれが生じやすく、また正四角柱を回転させることによりねじれも生じやすいという問題があった。【０００６】  本発明は、上述した従来の問題を解決し、ずれが生じず、ねじれも生じない回転式絵本を提供することを課題としている。
【課題を解決するための手段】
【０００７】  請求項１記載の発明は、正四角形の各辺が所定の幅Ｗをもつ正四角柱形状の第１の本体部と、
正四角形の各辺が所定の幅Ｗをもつ正四角柱形状の第２の本体部と、
長さ方向Ｌの一部分が第１の本体部、第２の本体部の所定の幅Ｗに応じた幅で区画された複数の区画部を有し、該複数の区画部の各々が幅方向Ｄに上部、中部、下部を備え、該複数の区画部が長さ方向Ｌに互いに連結され一体化されて形成されている第１のシートと、
長さ方向Ｌの他の部分が第１の本体部、第２の本体部の所定の幅Ｗに応じた幅で区画された複数の区画部を有し、該複数の区画部が長さ方向Ｌに所定の形状に互いに連結され一体化されて形成されている第２のシートとを具備し、
前記第２のシートは、所定の形状として、幅方向Ｄに上部、中部、下部を備えた複数の区画部が長さ方向Ｌに互いに連結されている第１の連結部と、第１の連結部と長さ方向Ｌに順次に連結されており、上部、下部を備え、中部が切り取られた複数の区画部が長さ方向Ｌに互いに連結されている第２の連結部と、第２の連結部と長さ方向Ｌに順次に連結されており、上部、中部、下部を備えた１つの区画部からなる第３の連結部と、第３の連結部と長さ方向Ｌに順次に連結されており、中部のみを備えた複数の区画部が長さ方向Ｌに互いに連結されている第４の連結部とを有しており、
前記第１のシートは、前記第１の本体部の側面に巻き付けられて貼り付けられ、
前記第２のシートは、前記第１の連結部と前記第２の連結部の前記第１の連結部に隣接する区画部とが前記第２の本体部の側面に巻き付けられて貼り付けられ、前記第３の連結部が前記第１の本体部の側面に貼り付けられ、前記第１の本体部および／または第２の本体部を回転させながら前記第２の連結部の貼り付けられていない複数の区画部を前記第１の本体部および／または第２の本体部の側面にＳ字状に巻き上げ、前記第４の連結部を前記第２の連結部の貼り付けられていない区画部の切り取られた中部の穴にくぐらせ前記第２の連結部と交叉させて前記第２の本体部の側面にＳ字状に巻き付けて、端となる区画部を前記第２の本体部の側面に貼り付けてなり、
前記第１のシートの各区画部、および、前記第２のシートの各区画部の少なくとも一部には、回転式絵本用分割原画が印刷されていることを特徴としている。【０００８】  また、請求項２記載の発明は、請求項１記載の回転式絵本において、前記第１の連結部の前記第２の連結部と隣接する区画部以外の区画部は、除去される一方、前記第２の本体部または第１の本体部の側面に印刷されることを特徴としている。【０００９】  また、請求項３記載の発明は、請求項１または請求項２記載の回転式絵本において、前記第１のシートは除去される一方、前記第１のシートの複数の区画部は、前記第１の本体部または第２の本体部の側面に印刷されることを特徴としている。
【発明の効果】
【００１０】    請求項１乃至請求項３記載の発明によれば、回転式絵本用分割原画が印刷された一体化された第１のシートと第２のシートとを各一枚使用することで、回転式絵本用分割原画は上下左右の位置が固定され、同一シート内では、ずれが生じにくくなる。また、一対の正四角柱を回転させても、第１のシートと第２のシートのシート形状により、ねじれも生じにくくなる。【００１１】  さらに、請求項１乃至請求項３記載の発明によれば、一対の正四角柱の正面で画面を複数回展開した後、一対の正四角柱を揃えて水平方向に１８０°反転させて裏面を正面とし、継続して画面を複数回展開することが可能となる。この場合、正面で展開した一部の画面が左右入れ替わり別画面として出てくる意外性を楽しむことができる。
【図面の簡単な説明】
【００１２】
【図１】本発明の回転式絵本の一例を示す正面斜視図である。
【図２】図１の回転式絵本の分解図である。
【図３】図１の回転式絵本の分解図である。
【図４】図１の回転式絵本の分解図である。
【図５】図１の回転式絵本の分解図である。
【図６】図１の回転式絵本の分解図である。
【図７】図１の回転式絵本を作製する仕方の一例を説明するための図である。
【図８】図１の回転式絵本を作製する仕方の一例を説明するための図である。
【図９】図１の回転式絵本の使い方を説明するための図である。
【図１０】図１の回転式絵本の使い方を説明するための図である。
【図１１】第１の本体部、第２の本体部の回転が阻止される理由を説明するための図である。
【図１２】図１の回転式絵本を作製する仕方の他の例を説明するための図である。
【発明を実施するための形態】
【００１３】  以下、本発明の実施の形態を図面に基づいて説明する。
【００１４】  図１は本発明の回転式絵本の一例を示す正面斜視図である。図１を参照すると、この回転式絵本は、第１の本体部１と、第２の本体部２と、第１のシート１０と、第２のシート１１とを具備している。
【００１５】    図２、図３、図４、図５、図６は、図１の回転式絵本の分解図である。
【００１６】  すなわち、図２には、第１の本体部１と第２の本体部２とが、より詳細に示されている。図２を参照すると、第１の本体部１は、正四角形の各辺が所定の幅Ｗをもつ正四角柱形状のものとなっており、４つの側面１ａ、１ｂ、１ｃ、１ｄと、４つの角部７ａ、７ｂ、７ｃ、７ｄと、頂面１ｅと、底面１ｆとを備えている。また、第２の本体部２は、正四角形の各辺が所定の幅Ｗをもつ正四角柱形状（第１の本体部１の正四角柱形状と同じ正四角柱形状）のものとなっており、４つの側面２ａ、２ｂ、２ｃ、２ｄと、４つの角部８ａ、８ｂ、８ｃ、８ｄと、頂面２ｅと、底面２ｆとを備えている。
【００１７】  また、第１の本体部１の頂面１ｅ、底面１ｆ、第２の本体部２の頂面２ｅ、底面２ｆは、蓋などで閉じられていても良いし、開いたものとなっていても良い。
【００１８】  また、図３には、第１のシート１０の表側の形状の一例が示されており、図４には、回転式絵本用分割原画の一部分が印刷された第１のシート１０の表側の一例が示されている。なお、図３、図４において、第１のシート１０の表側が符号３で示されている。また、ここで、分割原画とは、後述のように上部、中部、下部に分割されている原画をいう。
【００１９】  図３、図４を参照すると、第１のシート１０は、回転式絵本用分割原画の長さ方向Ｌの一部分が第１の本体部１、第２の本体部２の所定の幅Ｗに応じた幅（図３、図４の例では、第１の本体部１、第２の本体部２の幅Ｗと同じ幅Ｗ）で区画された複数の（図３、図４の例では、３つの）区画部（表側が３ａ、３ｂ、３ｃ）を有し、該３つの区画部（表側が３ａ、３ｂ、３ｃ）の各々が回転式絵本用分割原画の幅方向Ｄの上部、中部、下部を備え、該３つの区画部（表側が３ａ、３ｂ、３ｃ）が長さ方向Ｌに互いに連結され一体化されて形成されている。
【００２０】  なお、第１のシート１０の幅方向Ｄの上部、中部、下部のそれぞれの幅をＤ１、Ｄ２、Ｄ３とするとき、図３、図４の例では、Ｄ１＝Ｄ２＝Ｄ３となっている。すなわち、図３、図４の例では、第１のシート１０の幅方向Ｄの上部、中部、下部のそれぞれの幅は同じものとなっている。
【００２１】  また、図４の例では、３つの表側区画部３ａ、３ｂ、３ｃ（すなわち、一体化された第１のシート１０の表側）には、回転式絵本用分割原画が印刷されている。
【００２２】  また、図３、図４には、第１のシート１０の裏側（すなわち、３つの区画部の裏側）の図示が省略されているが、第１のシート１０の裏側（すなわち、３つの区画部の裏側）は、後述のように第１の本体部１の側面に貼り付けられるので、例えば無地のものとなっている（絵柄などが印刷されている必要はない）。
【００２３】また、図５には、第２のシート１１の形状の一例が示されており、図６には、回転式絵本用分割原画の一部が印刷された第２のシート１１の一例が示されている。なお、図５（ａ）、図６（ａ）は第２のシート１１の表側、図５（ｂ）、図６（ｂ）は第２のシート１１の裏側である。ここで、第２のシート１１の表側が符号４で示され、第２のシート１１の裏側が符号５で示されている。
【００２４】図５（ａ）、（ｂ）、図６（ａ）、（ｂ）を参照すると、第２のシート１１は、回転式絵本用分割原画の長さ方向Ｌの他の部分が第１の本体部１、第２の本体部２の所定の幅Ｗに応じた幅（図５、図６の例では、第１の本体部１、第２の本体部２の幅Ｗと同じ幅Ｗ）で区画された複数の（図５、図６の例では、１２個の）区画部（表側（裏側）が４ａ（５ａ）、４ｂ（５ｂ）、４ｃ（５ｃ）、４ｄ（５ｄ）、４ｅ（５ｅ）、４ｆ（５ｆ）、４ｇ（５ｇ）、４ｈ（５ｈ）、４ｉ（５ｉ）、４ｊ（５ｊ）、４ｋ（５ｋ）、４ｌ（５ｌ））を有し、該１２個の区画部が長さ方向Ｌに所定の形状に互いに連結され一体化されて形成されている。
【００２５】  より詳細に、第２のシート１１は、所定の形状として、回転式絵本用分割原画の幅方向Ｄの上部、中部、下部を備えた複数の（図５、図６の例では、３つの）区画部（表側（裏側）が４ａ（５ａ）、４ｂ（５ｂ）、４ｃ（５ｃ））が長さ方向Ｌに互いに連結されている第１の連結部１１ａと、第１の連結部１１ａと長さ方向Ｌに順次に連結されており、上部、下部を備え、中部が切り取られた複数の（図５、図６の例では、４つの）区画部（表側（裏側）が４ｄ（５ｄ）、４ｅ（５ｅ）、４ｆ（５ｆ）、４ｇ（５ｇ））が長さ方向Ｌに互いに連結されている第２の連結部１１ｂと、第２の連結部１１ｂと長さ方向Ｌに順次に連結されており、上部、中部、下部を備えた１つの区画部（表側（裏側）が４ｈ（５ｈ））からなる第３の連結部１１ｃと、第３の連結部１１ｃと長さ方向Ｌに順次に連結されており、中部のみを備えた複数の（図５、図６の例では、４つの）区画部（表側（裏側）が４ｉ（５ｉ）、４ｊ（５ｊ）、４ｋ（５ｋ）、４ｌ（５ｌ））が長さ方向Ｌに互いに連結されている第４の連結部１１ｄとを有している。
【００２６】  なお、図５、図６において、符号６は、第２の連結部１１ｂの切り取られた部分（中部の穴）である。
【００２７】  また、図５、図６において、第２のシート１１の幅方向Ｄの上部、中部、下部のそれぞれの幅をＥ１、Ｅ２、Ｅ３とするとき、図５、図６の例では、Ｅ１＝Ｅ２＝Ｅ３となっており、さらに、第２のシート１１の幅方向Ｄの上部、中部、下部のそれぞれの幅Ｅ１、Ｅ２、Ｅ３は、第１のシート１０の幅方向Ｄの上部、中部、下部のそれぞれの幅Ｄ１、Ｄ２、Ｄ３と同じものとなっている。すなわち、図５、図６の例では、第２のシート１１の幅方向Ｄの上部、中部、下部のそれぞれの幅Ｅ１、Ｅ２、Ｅ３は、Ｅ１＝Ｅ２＝Ｅ３＝Ｄ１＝Ｄ２＝Ｄ３となっている。
【００２８】  また、図６の例では、表側区画部４ａ、４ｂ、４ｃ、４ｄ、４ｅ、４ｆ、４ｇ、４ｉ、４ｊ、４ｋ、４ｌ、裏側区画部５ｅ、５ｆ、５ｇ、５ｈ、５ｉ、５ｊ、５ｋに回転式絵本用分割原画が印刷されている。いずれにせよ、一体化された第２のシート１１の表側、裏側には、回転式絵本用分割原画が印刷されている。また、表側区画部４ｈ、裏側区画部５ａ、５ｂ、５ｃ、５ｄ、５ｌは、第１の本体部１または第２の本体部２の側面に貼り付けられるようになっており、図６の例では、絵柄などが印刷されておらず、無地のものとなっている。
【００２９】  また、第１のシート１０、第２のシート１１の厚さは、例えば０．１〜０．３ｍｍ程度である。また、第２のシート１１は、表側、裏側の両面に回転式絵本用分割原画が印刷されるので、不透明かつ丈夫な紙などが用いられるのが好ましい。
【００３０】  次に、上述した第１の本体部１、第２の本体部２、第１のシート１０、第２のシート１１から、図１の回転式絵本を作製する仕方の一例を説明する。
【００３１】  図７、図８は、図１の回転式絵本を作製する仕方の一例を説明するための図である。なお、図７（ａ）、（ｂ）、（ｃ）、図８（ａ）において、説明の便宜上、第１のシート１０、第２のシート１１の各区画部の長さ方向Ｌの幅は、第１の本体部１、第２の本体部２の幅Ｗよりもかなり大きく図示されている。
【００３２】  先ず、図７（ａ）、（ｂ）、（ｃ）を参照すると、図７（ａ）、（ｂ）、（ｃ）には、図１の回転式絵本を作製する仕方を説明するための図が平面図で示されている。なお、図７（ａ）、（ｂ）、（ｃ）において、符号に括弧（  ）の付いた表記、例えば５ｅ（４ｅ）の表記は、第１の本体部１または第２の本体部２の側面に貼り付けられない区画部であって、引き出し線でポイントされた側が裏側区画部５ｅであり、その反対の側が表側区画部４ｅであることを意味している。また、符号に括弧（  ）の付かない表記、例えば４ｄの表記は、第１の本体部１または第２の本体部２（４ｄの場合は第２の本体部２）の側面に貼り付けられる区画部であって、引き出し線でポイントされた側が表側区画部４ｄであり、その反対の側が第２の本体部２の側面に貼り付けられる裏側区画部５ｄ（５ｄの符号は図示せず）であることを意味している。
【００３３】  図１の回転式絵本を作製するには、先ず、第１のシート１０を、第１の本体部１の側面に巻き付けて貼り付ける。図７（ａ）には、第１のシート１０の３つの表側区画部３ａ、３ｂ、３ｃの裏側を、それぞれ第１の本体部１の側面１ａ、１ｂ、１ｃに巻き付けて貼り付けた状態が示されている。
【００３４】  また、第２のシート１１の第１の連結部１１ａ（３つの区画部（表側（裏側）が４ａ（５ａ）、４ｂ（５ｂ）、４ｃ（５ｃ））と第２の連結部１１ｂの第１の連結部１１ａに隣接する区画部（表側（裏側）が４ｄ（５ｄ））とを、それぞれ第２の本体部２の側面２ａ、２ｂ、２ｃ、２ｄに巻き付けて貼り付ける。すなわち、図７（ａ）には、第２のシート１１の４つの表側区画部４ａ、４ｂ、４ｃ、４ｄの裏側を、それぞれ第２の本体部２の側面２ａ、２ｂ、２ｃ、２ｄに巻き付けて貼り付けた状態が示されている。
【００３５】  また、第２のシート１１の第３の連結部１１ｃ（１つの区画部（表側（裏側）が４ｈ（５ｈ）））を、第１の本体部１の側面１ｄに貼り付ける。すなわち、図７（ａ）には、第２のシート１１の１つの裏側区画部５ｈの裏側を、第１の本体部の側面１ｄに貼り付けた状態が示されている。
【００３６】  次いで、図７（ａ）の状態で、第１の本体部１を反時計方向に回転させながら、図７（ｂ）に示すような状態にする。すなわち、第１の本体部１を反時計方向に回転させながら第２の連結部１１ｂの貼り付けられていない２つの区画部（裏側（表側）が５ｇ（４ｇ）、５ｆ（４ｆ））を、第１の本体部１の側面に、第１の連結部１１ａ（３つの表側区画部４ａ、４ｂ、４ｃ）と第２の連結部１１ｂの第１の連結部１１ａに隣接する表側区画部４ｄとに対してＳ字状に巻き上げる。図７（ｂ）の例では、この状態で、第４の連結部１１ｄ（４つの区画部（表側（裏側）が４ｉ（５ｉ）、４ｊ（５ｊ）、４ｋ（５ｋ）、４ｌ（５ｌ）））を第２の連結部１１ｂの貼り付けられていない区画部５ｅ（４ｅ）の切り取られた中部の穴６にくぐらせ、第２の連結部１１ｂの貼り付けられていない区画部５ｅ（４ｅ）と交叉させている。
【００３７】  次いで、さらに第１の本体部１を反時計方向に回転させながら、図７（ｃ）に示すような状態にする。すなわち、第１の本体部１を反時計方向に回転させながら、第２の連結部１１ｂの貼り付けられていない１つの区画部（裏側（表側）が５ｅ（４ｅ））を第１の本体部１の側面にさらに巻き上げ、これとともに、第２の本体部２の側面に４つの区画部（表側（裏側）が４ｉ（５ｉ）、４ｊ（５ｊ）、４ｋ（５ｋ）、４ｌ（５ｌ））を第２の連結部１１ｂ（区画部（５ｅ（４ｅ）、５ｆ（４ｆ）、５ｇ（４ｇ）））、第３の連結部１１ｃ（裏側区画部５ｈ）に対してＳ字状に巻き付ける。そして、端となる区画部４ｌの裏側（５ｌ）を第２の本体部２の側面２ｄに貼り付けて、図１の回転式絵本を作製することができる。図８（ａ）には、この様子が斜視図で示されている。
【００３８】  なお、第１の本体部１を反時計方向に回転させながら図７（ｃ）に示すような状態にするときに、第４の連結部１１ｄ（４つの区画部（表側（裏側）が４ｉ（５ｉ）、４ｊ（５ｊ）、４ｋ（５ｋ）、４ｌ（５ｌ）））を第２の連結部１１ｂの貼り付けられていない区画部５ｅ（４ｅ）の切り取られた中部の穴６にくぐらせ、第２の連結部１１ｂの貼り付けられていない区画部５ｅ（４ｅ）と交叉させるようにしてもよい。
【００３９】  図８（ｂ）には、図７（ｃ）に示すような状態にしたときの正面図が示されている。図８（ｂ）からわかるように、図７（ｃ）に示すような状態にしたときの回転式絵本の正面斜視図は図１のようになる。このようにして、図１の回転式絵本（一対の正四角柱の構造の回転式絵本）を作製することができる。すなわち、初期状態において、一対の正四角柱の正面で所定の画面が左右に展開されている回転式絵本を作製することができる。
【００４０】  このように、図１の回転式絵本では、上述した構造によって、以下に説明するように、一対の正四角柱を角部を常に接した状態で回転させて、一対の正四角柱の正面で画面を複数回展開させることができる。また、一対の正四角柱の正面で画面を複数回展開した後、一対の正四角柱を揃えて水平方向に１８０°反転させて裏面を正面とし、一対の正四角柱を角部を常に接した状態で回転させて、継続して画面を複数回展開することが可能となる。
【００４１】さらに、図１の回転式絵本では、回転式絵本用分割原画が印刷された一体化された第１のシート１０と第２のシート１１とを各一枚使用することで、回転式絵本用分割原画は上下左右の位置が固定され、同一シート内では、ずれが生じにくくなる。また、一対の正四角柱を回転させても、第１のシート１０と第２のシート１１のシート形状により、ねじれも生じにくくなる。
【００４２】  次に、上述した構成（構造）を持つ図１の回転式絵本の使い方について説明する。
【００４３】  図９、図１０は、図１の回転式絵本の使い方を説明するための図である。
【００４４】  図９（ａ）には、一対の正四角柱の正面で左右に展開されている画面が図１（図８（ｂ））に示すようなものになっている状態が示されている。図９（ａ）の状態で、第１の本体部１の角部７ａ、第２の本体部２の角部８ａを軸として、この軸を中心に、第１の本体部１を時計方向に９０°、また、第２の本体部２を反時計方向に９０°回転させるとき、一対の正四角柱は、図９（ｂ）の状態を経て、図９（ｃ）の状態となる。この際、図１の回転式絵本では、一対の正四角柱を角部を常に接した状態で回転させることができる。図９（ｃ）を図９（ａ）と比べると、上記の回転によって、一対の正四角柱の正面で左右に展開されている画面が別の画面に切り替わることがわかる（別の画面が展開されることがわかる）。
【００４５】  さらに、図９（ｃ）の状態で、第１の本体部１の角部７ｂ、第２の本体部２の角部８ｂを軸として、この軸を中心に、第１の本体部１を時計方向に９０°、また、第２の本体部２を反時計方向に９０°回転させるとき、一対の正四角柱は、図９（ｄ）の状態を経て、図９（ｅ）の状態となる。この際、図１の回転式絵本では、一対の正四角柱を角部を常に接した状態で回転させることができる。図９（ｅ）を図９（ｃ）と比べると、上記の回転によって、一対の正四角柱の正面で左右に展開されている画面が別の画面に切り替わることがわかる（別の画面が展開されることがわかる）。
【００４６】  さらに、図９（ｅ）の状態で、第１の本体部１の角部７ｃ、第２の本体部２の角部８ｃを軸として、この軸を中心に、第１の本体部１を時計方向に９０°、また、第２の本体部２を反時計方向に９０°回転させるとき、一対の正四角柱は、図９（ｆ）の状態を経て、図９（ｇ）の状態となる。この際、図１の回転式絵本では、一対の正四角柱を角部を常に接した状態で回転させることができる。図９（ｇ）を図９（ｅ）と比べると、上記の回転によって、一対の正四角柱の正面で左右に展開されている画面が別の画面に切り替わることがわかる（別の画面が展開されることがわかる）。
【００４７】  さらに、図９（ｇ）の状態で、第１の本体部１の角部７ｄ、第２の本体部２の角部８ｄを軸として、この軸を中心に、第１の本体部１を時計方向に９０°、また、第２の本体部２を反時計方向に９０°回転させるとき、一対の正四角柱は、図９（ｈ）の状態を経て、図９（ｉ）の状態となる。この際、図１の回転式絵本では、一対の正四角柱を角部を常に接した状態で回転させることができる。図９（ｉ）を図９（ｇ）と比べると、上記の回転によって、一対の正四角柱の正面で左右に展開されている画面が別の画面に切り替わることがわかる（別の画面が展開されることがわかる）。
【００４８】  次に、図９（ｉ）の状態で、第１の本体部１の角部７ａ、第２の本体部２の角部８ａを軸として、この軸を中心に、第１の本体部１を時計方向に、また、第２の本体部２を反時計方向に回転させようとしても、この回転は、後述の理由によって阻止される。
【００４９】  このように、図１の回転式絵本では、一対の正四角柱を角部を常に接した状態で回転させて、一対の正四角柱の正面で画面を複数回（５回）展開させることができる。
【００５０】    一対の正四角柱の正面で画面を複数回（５回）展開させて、図９（ｉ）の状態になった後、一対の正四角柱を揃えて水平方向に１８０°反転させて裏面を正面とすると、図１０（ａ）の状態となる。
【００５１】  このように、図９（ｉ）の状態から、一対の正四角柱を揃えて水平方向に１８０°反転させて裏面を正面として、図１０（ａ）の状態とすると、一対の正四角柱を角部を常に接した状態で回転させて、継続して画面を複数回展開することが可能となる。
【００５２】  すなわち、図１０（ａ）の状態で、第２の本体部２の角部８ｄ、第１の本体部１の角部７ｄを軸として、この軸を中心に、第２の本体部２を時計方向に９０°、また、第１の本体部１を反時計方向に９０°回転させるとき、一対の正四角柱は、図１０（ｂ）の状態を経て、図１０（ｃ）の状態となる。この際、図１の回転式絵本では、一対の正四角柱を角部を常に接した状態で回転させることができる。図１０（ｃ）を図１０（ａ）と比べると、上記の回転によって、一対の正四角柱の正面で左右に展開されている画面が別の画面に切り替わることがわかる（別の画面が展開されることがわかる）。
【００５３】  さらに、図１０（ｃ）の状態で、第２の本体部２の角部８ｃ、第１の本体部１の角部７ｃを軸として、この軸を中心に、第２の本体部２を時計方向に９０°、また、第１の本体部１を反時計方向に９０°回転させるとき、一対の正四角柱は、図１０（ｄ）の状態を経て、図１０（ｅ）の状態となる。この際、図１の回転式絵本では、一対の正四角柱を角部を常に接した状態で回転させることができる。図１０（ｅ）を図１０（ｃ）と比べると、上記の回転によって、一対の正四角柱の正面で左右に展開されている画面が別の画面に切り替わることがわかる（別の画面が展開されることがわかる）。
【００５４】  ここで、反転後に一対の正四角柱の正面で３回展開された図１０（ａ）、（ｃ）、（ｅ）の画面を、反転前に一対の正四角柱の正面で３回展開された図９（ｅ）、（ｃ）、（ａ）の画面と比べると、反転前に一対の正四角柱の正面で展開された画面が、反転後に左右入れ替わり別画面として出てくることがわかる。このように、図１の回転式絵本では、反転前に一対の正四角柱の正面で展開された画面が、反転後に左右入れ替わり別画面として出てくる意外性を楽しむことができる。
【００５５】  さらに、図１０（ｅ）の状態で、第２の本体部２の角部８ｂ、第１の本体部１の角部７ｂを軸として、この軸を中心に、第２の本体部２を時計方向に９０°、また、第１の本体部１を反時計方向に９０°回転させるとき、一対の正四角柱は、図１０（ｆ）の状態を経て、図１０（ｇ）の状態となる。この際、図１の回転式絵本では、一対の正四角柱を角部を常に接した状態で回転させることができる。図１０（ｇ）を図１０（ｅ）と比べると、上記の回転によって、一対の正四角柱の正面で左右に展開されている画面が別の画面に切り替わることがわかる（別の画面が展開されることがわかる）。
【００５６】  さらに、図１０（ｇ）の状態で、第２の本体部２の角部８ａ、第１の本体部１の角部７ａを軸として、この軸を中心に、第２の本体部２を時計方向に９０°、また、第１の本体部１を反時計方向に９０°回転させるとき、一対の正四角柱は、図１０（ｈ）の状態を経て、図１０（ｉ）の状態となる。この際、図１の回転式絵本では、一対の正四角柱を角部を常に接した状態で回転させることができる。図１０（ｉ）を図１０（ｇ）と比べると、上記の回転によって、一対の正四角柱の正面で左右に展開されている画面が別の画面に切り替わることがわかる（別の画面が展開されることがわかる）。
【００５７】  次に、図１０（ｉ）の状態で、第２の本体部２の角部８ｄ、第１の本体部１の角部７ｄを軸として、この軸を中心に、第２の本体部２を時計方向に、また、第１の本体部１を反時計方向に回転させようとしても、この回転は、以下の理由によって阻止される。
【００５８】  すなわち、図１１に示すように、第２の本体部２の角部８ｄ、第１の本体部１の角部７ｄを軸として、この軸を中心に、第２の本体部２を時計方向に、また、第１の本体部１を反時計方向に回転させようとしても、第２の本体部２は、第２のシート１１の区画部４ｉが巻き上げられる方向に第２の本体部２に巻き付けられている状態にあり、区画部４ｉに連結している区画部５ｈが第１の本体部１に貼り付けにより固定されていることによって、時計方向への回転が阻止され、また、第１の本体部１は、第２のシート１１の区画部５ｅが巻き上げられる方向に第１の本体部１に巻き付けられている状態にあり、区画部５ｅに連結している区画部４ｄが第２の本体部２に貼り付けにより固定されていることによって、反時計方向への回転が阻止されることによる。前述した図９（ｉ）の状態で、第１の本体部１を時計方向に、また、第２の本体部２を反時計方向に回転させようとしても、この回転が阻止される理由も、原理的には上記と同様である。
【００５９】  このように、図１の回転式絵本では、反転後も、一対の正四角柱を角部を常に接した状態で回転させて、一対の正四角柱の正面で画面を複数回（５回）展開させることができる。
【００６０】    一対の正四角柱の正面で画面を複数回（５回）展開させて、図１０（ｉ）の状態になった後、一対の正四角柱を揃えて水平方向に１８０°反転させて裏面を正面とすると、再び図９（ａ）の状態になる。
【００６１】  以上のように、図１の回転式絵本では、一対の正四角柱の正面で画面を複数回展開した後、一対の正四角柱を揃えて水平方向に１８０°反転させて裏面を正面とし、継続して画面を複数回展開することが可能となる。この場合、正面で展開した一部の画面が左右入れ替わり別画面として出てくる意外性が楽しめる。すなわち、左右入れ替わった画面を楽しむことができる。
【００６２】  さらに、図１の回転式絵本では、回転式絵本用分割原画が印刷された一体化された第１のシート１０と第２のシート１１とを各一枚使用することで、回転式絵本用分割原画は上下左右の位置が固定され、同一シート内では、ずれが生じにくくなる。また、正四角柱を回転させても、第１のシート１０と第２のシート１１のシート形状により、ねじれも生じにくくなる。すなわち、正四角柱に現れる回転式絵本用分割原画同士のずれやねじれを防ぎ、回転式絵本の画面が正確に現れるようにすることが可能となる。
【００６３】  なお、上述の例では、第１のシート１０、第２のシート１１の各区画部の長さ方向Ｌの幅を第１の本体部１、第２の本体部２の幅Ｗと同じ幅Ｗとしたが、第１のシート１０、第２のシート１１の厚さを考慮して、第１のシート１０、第２のシート１１の各区画部の長さ方向Ｌの幅を、第１の本体部１、第２の本体部２の幅Ｗよりも少し大きくするよう、微調整可能な構成となっているのが好ましい。
【００６４】  また、上述の例において、第１のシート１０は除去される一方、第１のシート１０の３つの表側区画部３ａ、３ｂ、３ｃの回転式絵本用分割原画は、それぞれ第１の本体部１の側面１ａ、１ｂ、１ｃに印刷されても良い。
【００６５】  さらに、上述の例において、第２のシート１１において、第１の連結部１１ａの第２の連結部１１ｂと隣接する区画部（表側（裏側）が４ｃ（５ｃ））以外の区画部（表側（裏側）が４ａ（５ａ）、４ｂ（５ｂ））は、除去される一方、表側区画部４ａ、４ｂの回転式絵本用分割原画は、それぞれ第２の本体部２の側面２ａ、２ｂに印刷されても良い。
【００６６】  また、上述の例では、第１のシート１０、第２のシート１１の幅方向Ｄの上部、中部、下部のそれぞれの幅は同じもの（Ｄ１＝Ｄ２＝Ｄ３＝Ｅ１＝Ｅ２＝Ｅ３）となっているとしたが、第１のシート１０の幅方向Ｄの上部、中部、下部のそれぞれの幅Ｄ１、Ｄ２、Ｄ３、第２のシート１１の幅方向Ｄの上部、中部、下部のそれぞれの幅Ｅ１、Ｅ２、Ｅ３を異なるものにすることもできる。ただし、この場合にも、Ｄ１＝Ｅ１、Ｄ２＝Ｅ２、Ｄ３＝Ｅ３である必要がある。
【００６７】  また、上述の例では、図７、図８に示した仕方で、図１の回転式絵本を作製したが、他の仕方で図１の回転式絵本を作製することもできる。
【００６８】    図１２は、図１の回転式絵本を作製する仕方の他の例を説明するための図である。図１２の仕方では、図７、図８の場合に対して、第１の本体部１と第２の本体部２とを左右反対に配置する。すなわち、第１の本体部１を右に配置し、第２の本体部２を左に配置する。
【００６９】  次いで、図１２（ａ）に示すように、第１のシート１０を、第１の本体部１の側面に巻き付けて貼り付ける。また、第２のシート１１の第１の連結部１１ａ（３つの区画部（表側（裏側）が４ａ（５ａ）、４ｂ（５ｂ）、４ｃ（５ｃ））と第２の連結部１１ｂの第１の連結部１１ａに隣接する区画部（表側（裏側）が４ｄ（５ｄ））とを、それぞれ第２の本体部２の側面に巻き付けて貼り付ける。また、第２のシート１１の第３の連結部１１ｃ（１つの区画部（表側（裏側）が４ｈ（５ｈ）））を、第１の本体部１の側面に貼り付ける。
【００７０】  次いで、図１２（ａ）の状態で、第１の本体部１、第２の本体部２を反時計方向に回転させながら、図１２（ｂ）に示すような状態にする。すなわち、第１の本体部１、第２の本体部２の両方を反時計方向に回転させながら第２の連結部１１ｂの貼り付けられていない２つの区画部（裏側（表側）が５ｇ（４ｇ）、５ｅ（４ｅ））を、それぞれ第１の本体部１、第２の本体部２の側面に、Ｓ字状に巻き上げる。図１２（ｂ）の例では、この状態で、第４の連結部１１ｄ（４つの区画部（表側（裏側）が４ｉ（５ｉ）、４ｊ（５ｊ）、４ｋ（５ｋ）、４ｌ（５ｌ）））を第２の連結部１１ｂの貼り付けられていない区画部５ｆ（４ｆ）の切り取られた中部の穴６にくぐらせ、第２の連結部１１ｂの貼り付けられていない区画部５ｆ（４ｆ）と交叉させている。
【００７１】  次いで、さらに第２の本体部２を反時計方向に回転させながら、図１２（ｃ）に示すような状態にする。すなわち、第２の本体部２を反時計方向に回転させながら、第２の連結部１１ｂの貼り付けられていない１つの区画部（裏側（表側）が５ｆ（４ｆ））を第２の本体部２の側面にさらに巻き上げ、これとともに、第２の本体部２の側面に第４の連結部１１ｄ（４つの区画部（表側（裏側）が４ｉ（５ｉ）、４ｊ（５ｊ）、４ｋ（５ｋ）、４ｌ（５ｌ）））を巻き付ける。そして、端となる区画部４ｌ（５ｌ）を第２の本体部２の側面に貼り付けて、図１の回転式絵本を作製することができる。
【００７２】  なお、第２の本体部２を反時計方向に回転させながら図１２（ｃ）に示すような状態にするときに、第４の連結部１１ｄ（４つの区画部（表側（裏側）が４ｉ（５ｉ）、４ｊ（５ｊ）、４ｋ（５ｋ）、４ｌ（５ｌ）））を第２の連結部１１ｂの貼り付けられていない区画部５ｆ（４ｆ）の切り取られた中部の穴６にくぐらせ、第２の連結部１１ｂの貼り付けられていない区画部５ｆ（４ｆ）と交叉させるようにしてもよい。
【００７３】  このようにして、図１の回転式絵本を作製することもできる。
【００７４】  また、図１の構成例において、第１の本体部１、第２の本体部２を入れ替えることもできる。この場合、例えば第１のシート１０は、第２の本体部２に貼り付けられる。
【００７５】  また、上述の各例では、第１のシート１０、第２のシート１１に回転式絵本用分割原画が印刷されているとしたが、例えば第２のシート１１の裏側区角部５ｈに印刷されている原画は、分割されていなくても良い。その意味で、原画の全てが分割画面である必要はなく、本発明では、より広義に、第１のシート１０、第２のシート１１の少なくとも一部に回転式絵本用分割原画が印刷されていればよい。
【符号の説明】
【００７６】      １    第１の本体部
２    第２の本体部
３    第１のシートの表側区画部
４    第２のシートの表側区画部
５    第２のシートの裏側区画部
６    第２のシートの中部の穴
７    第１の本体部の角部
８    第２の本体部の角部
１０  第１のシート
１１  第２のシート
【図１】
2017165081.tif 000003
【図２】
2017165081.tif 000004
【図３】
2017165081.tif 000005
【図４】
2017165081.tif 000006
【図５】
2017165081.tif 000007
【図６】
2017165081.tif 000008
【図７】
2017165081.tif 000009
【図８】
2017165081.tif 000010
【図９】
2017165081.tif 000011
【図１０】
2017165081.tif 000012
【図１１】
2017165081.tif 000013
【図１２】
2017165081.tif 000014